(57)【要約】      （修正有）【課題】時間と位置とを異ならせて、同一被写体を撮影することができる撮影依頼システムを提供する。【解決手段】撮影依頼システムを構成するサーバは、複数の通信機器に対して通信可能な通信部と、複数の通信機器に対して時間と位置とを異ならせて、同一被写体の撮影依頼を行う依頼部とを備えており、撮影の依頼者からの通信機器を用いた撮影依頼に応じて、予め登録された複数の撮影者の中から最適な複数の撮影者を選択して通知し、該撮影依頼を受諾した複数の撮影者に撮影時間と撮影場所を指定して撮影を実行させ、各撮影者（撮影を受諾した撮影者および場合により撮影の依頼者を含む）が撮影した画像をサーバに転送させて、撮影の依頼者（場合に応じて撮影依頼を受諾した撮影者も）が閲覧できるようにしている。【選択図】図１
2012123666.tif 000002
【特許請求の範囲】
【請求項１】
複数の通信機器に対して通信可能な通信部と、
前記複数の通信機器に対して時間と位置とを異ならせて、同一被写体の撮影依頼を行う依頼部と、を備えることを特徴とする撮影依頼システム。
【請求項２】
前記通信部は、前記複数の通信機器のスリープ状態を解除することを特徴とする請求項１記載の撮影依頼システム。
【請求項３】
複数の通信機器の少なくとも１つの通信機器に対して時刻合わせを行う時計部を備えていることを特徴とする請求項１または２記載の撮影依頼システム。
【請求項４】
前記時計部は、複数の通信機器に対して時刻合わせを行い、
前記依頼部は、前記時刻合わせを行った複数の通信機器に対してほぼ同時刻の撮影を依頼することを特徴とする請求項３記載の撮影依頼システム。
【請求項５】
前記通信部は、前記撮影依頼を受諾した通信機器と、前記撮影依頼を実行する撮影機器とが異なる場合に対応するためのパスワードを前記撮影依頼を受諾した通信機器に送付することを特徴とする請求項１から４のいずれか一項に記載の撮影依頼システム。
【請求項６】
前記通信部は、撮影予定時刻の所定時刻前に少なくとも１つの通信機器に対して通信を行うことを特徴とする請求項１から５のいずれか一項に記載の撮影依頼システム。
【請求項７】
前記通信部は、異なる時間の撮影間隔が所定時間以内の場合に、複数の通信機器に対して撮影予定時刻の所定時刻前に通信を行うことを特徴とする請求項６記載の撮影依頼システム。
【請求項８】
前記複数の通信機器は、所定の位置に配置された撮像部を有する定点カメラを含んでいることを特徴とする請求項１から７のいずれか一項に記載の撮影依頼システム。
【請求項９】
前記撮影依頼を受諾した複数の通信機器はそれぞれ制御部を有し、
前記それぞれの制御部は、時間または位置が所定条件を満たすときに、互いに通信可能状態に制御することを特徴とする請求項１から８のいずれか一項に記載の撮影依頼システム。
【請求項１０】
前記撮影依頼により撮影された画像を編集する編集部を備えたことを特徴とする請求項１から９のいずれか一項に記載の撮影依頼システム。
【請求項１１】
前記画像は複数であり、
前記編集部は、前記複数の画像を時系列に編集することを特徴とする請求項１０記載の撮影依頼システム。
【請求項１２】
前記編集部は、前記画像のメタデータに応じて、画像の開示に制限をつけることを特徴とする請求項１０または１１記載の撮影依頼システム。
【発明の詳細な説明】
【技術分野】
【０００１】
本発明は、撮影依頼システムに関する。
【背景技術】
【０００２】
自分が撮影できない被写体をサービス事業者を介在させて撮影してもらうデジタルデータ仲介方法が提案されている（例えば、特許文献１）。
【先行技術文献】
【特許文献】
【０００３】
【特許文献１】特許第４２３９５９１号公報
【発明の概要】
【発明が解決しようとする課題】
【０００４】
従来技術では、複数の撮影者に撮影を依頼することは開示しているが、複数の撮影者へ撮影依頼して、時間と位置とを異ならせて、同一被写体を撮影することは開示していない。
【０００５】
本発明は、時間と位置とを異ならせて、同一被写体を撮影することができる撮影依頼システムを提供することを目的とする。
【課題を解決するための手段】
【０００６】
本発明に係る撮影依頼システムは、複数の通信機器に対して通信可能な通信部と、前記複数の通信機器に対して時間と位置とを異ならせて、同一被写体の撮影依頼を行う依頼部と、を備えることを特徴とする。
【発明の効果】
【０００７】
本発明によれば、時間と位置とを異ならせて、同一被写体を撮影することができる。
【図面の簡単な説明】
【０００８】
【図１】本発明の一実施の形態による撮影依頼システム１を表す図である。
【図２】通信機器２、４の構造を示すブロック図である。
【図３】サーバ３が複数の通信機器４に対して行う撮影依頼のフローチャートである。
【図４】サーバ３が複数の通信機器４に対して行う撮影実行に関するフローチャートである。
【発明を実施するための形態】
【０００９】
以下、図面を参照して本発明を実施するための形態について説明する。図１は、本発明の一実施の形態による撮影依頼システム１を表す図である。
【００１０】
撮影依頼システム１は、撮影の依頼を行う複数の通信機器２（２−１、２−２、…、２−Ｎ）と、複数の通信機器２からの撮影依頼を受けるサーバ３と、このサーバ３から撮影依頼を受ける複数の通信機器４（４−１、４−２、…、４−Ｎ）とを有している。なお、説明の都合上、複数の通信機器２，４を図示しているが、複数の通信機器２に撮影依頼に加えて、撮影依頼を受ける機能を設けてもよい。
【００１１】
また、本実施の形態の撮影依頼システム１は、複数の定点カメラ５とも接続されている。
【００１２】
図２は、通信機器２，４の構造を示すブロック図である。通信機器２、４としては、パソコン、携帯電話、デジタルカメラ、ＰＤＡなどの機器を用いることができる。
【００１３】
図２に示してあるように、通信機器２は、音声を入力するマイク５、文字や数字などを入力するためのキーボード６、さまざまな情報や、映像などを表示するための表示部７（例えば、液晶表示ディスプレイ）、注意音（警告音）、音声メッセージなどの音声を発するスピーカ８を有している。音声入力部９はマイク５から入力した音声を入力し、テキストデータ入力部１０はキーボード６からの入力操作に応じたテキストデータを取得する。入力部１１は、これらの音声入力部９とテキストデータ入力部１０とを有している。
【００１４】
通信機器２は、この通信機器の位置（絶対位置）を検出するためのＧＰＳ（Ｇｌｏｂａｌ  Ｐｏｓｉｔｉｏｎｉｎｇ  Ｓｙｓｔｅｍ：全地球測位システム）モジュール１２と、日付と曜日などとを対応付けて記憶するとともに、時間情報を出力するとともに、計時可能なカレンダ部１３と、撮影レンズ（不図示）からの光束に含まれる被写体像を撮像する撮像素子を備える撮像部１４と、制御部１６が実行する各種プログラムや、撮像された静止画や動画や、入力部１１が入力した音声やテキストデータを保存するフラッシュメモリ１５とを有している。なお、前述の制御部１６は、ＧＰＳモジュール１２からの位置情報、カレンダ部１３からの日付日時情報、撮影条件などをメタデータとして取得しており、制御部１６は、フラッシュメモリ１５に画像とメタデータとを対応付けして記憶させている。
【００１５】
また、通信機器２は、他の通信機器２、４やサーバ３と例えば電気通信回線により通信可能な通信部１７を有している。この通信部１７は、入力部１１、フラッシュメモリ１５、および制御部１６と接続されており、制御部１６の制御により、入力部１１が入力した情報やフラッシュメモリ１５に保存されている情報やデータをサーバ３に送信している。
【００１６】
制御部１６は、ＣＰＵを有し、通信機器２全体を制御するものであり、サーバ３への撮影依頼を行うものである。
【００１７】
なお、通信機器４も通信機器２と同じ構成としてもよく、図２において符号だけを変えて表示させている。
【００１８】
図１に戻って、サーバ３は、通信機器２、４や定点カメラ５の不図示の通信部と通信を行う通信部３１と、通信部３１が通信により入力した音声をテキストデータに変換するテキストデータ変換部３２と、日付と曜日などとを対応付けて記憶するとともに、時間情報を出力するとともに、計時可能なカレンダ部３３と、を有する。
【００１９】
また、サーバ３は、通信部３１から入力した各種情報やデータ、テキストデータ変換部３２が変換したテキストデータを保存したり、撮影された画像を保存したりするフラッシュメモリ３４と、撮影依頼者や撮影者の情報や、撮影依頼に関する履歴や、地図情報、列車や飛行機やフェリーなどの運行テーブル（時刻表）や、複数の定点カメラ５の設置情報などを記憶しているハードディスク３５を有している。このハードディスク３５に記憶された情報は、通信部３１を介して通信機器２，４に送信することが可能である。
【００２０】
制御部３６は、サーバ３全体を制御するものであり、本実施の形態においては、通信機器２からの撮影依頼を通信機器４へ行うとともに、撮影された画像の受領および編集を行っている。
【００２１】
（フローチャート１の説明）
図３は、サーバ３が複数の通信機器４に対して行う撮影依頼のフローチャートであり、以下、このフローチャートに沿って撮影依頼動作の説明を行う。
【００２２】
制御部３６は、通信機器２からの依頼情報（撮影指定場所、撮影時間、撮影期間など）に基づいて、撮影依頼に関する時間設定を行う（ステップＳ１）。具体的には、制御部３６は、撮影開始時間に間に合うように、撮影依頼を行う時間、撮影依頼の了承をもらう時間、撮影者が足りずに追加の撮影依頼をする時間、追加の撮影依頼の了承をもらう時間などの設定を行う。例えば、撮影依頼を８月１日に受け、撮影開始が８月６日の午後５時とした場合、撮影依頼を８月２日にし、撮影の了承を８月４日の午前中とし、追加の撮影依頼を８月４日の午後とし、追加の撮影了承を８月５日の午後５時（撮影開始の２４時間前）とし、依頼者への連絡を８月５日に行うような時間設定を行う（例えば、撮影開始の２３時間前まで）。なお、撮影指定場所の指定は、本実施の形態では、撮影の依頼者が行うものとするが、制御部３６がフラッシュメモリ３４に記録されたデータベースなどに基づいて提案をし、その提案の中から依頼者が選択するようにしてもよい。例えば、運行中の電車の撮影を行う場合には、当該電車の運行テーブル（時刻表）、過去の撮影の実施状況、撮影を行う時間帯（朝、夜など）、撮影時の季節（夏、冬など）、撮影場所に関する口コミ情報、その他の情報に基づいて、最適な撮影場所を提案するとよい。
【００２３】
制御部３６は、通信機器２からの依頼情報に基づいて、通信機器４への撮影依頼を行う（ステップＳ２）。一例として、８月６日午後４時２０分に上野駅発の札幌行き寝台特急列車Ｃ号の複数地点での撮影依頼を受けたとする。また、依頼者がこの寝台特急列車Ｃ号に乗車し、自らも撮影者として撮影を行うものとする。
【００２４】
制御部３６は、通信機器２からの依頼情報と、ハードディスク３５に記憶されている撮影者の情報、履歴、地図情報、運行テーブルとに基づいて、撮影を行うことが可能な撮影者（撮影予定者）を抽出する。
【００２５】
制御部３６は、夕刻の寝台特急列車Ｃ号を撮影するため、大宮、宇都宮周辺にて午後５時から６時ごろに撮影可能な撮影者Ａさん、Ｂさんを抽出し、それぞれに対して撮影対象、撮影時刻、撮影場所の地図情報、パスワードを通信部３１を介して、Ａさんの通信機器４−１、Ｂさんの通信機器４−２にインターネットなどの電気通信回線を介して撮影依頼を行う。なお、パスワードの一例としては、被写体、撮影時間、撮影場所に関連して、Ｃ−２０１００８０６１７００−Ｏとすればいい（Ｃ号  ２０１０年８月６日１７時００分  大宮の意）。なお、本実施の形態では、撮影依頼を受諾してもらう場合には、前述の地図情報に基づいた撮影位置と、撮影場所を返信してもらうようにしている。
【００２６】
また、制御部３６は、夜の寝台特急列車Ｃ号を撮影するため、福島、仙台周辺にて午後８時から９時ごろに撮影可能な撮影者Ｃさん、Ｄさんを抽出し、それぞれに対して撮影対象、撮影時刻、撮影場所の地図情報、パスワードを通信部３１を介してＣさんの通信機器４−３、Ｄさんの通信機器４−４に撮影依頼を行う。
【００２７】
制御部３６は、函館付近の撮影依頼が含まれていた場合に、寝台特急列車Ｃ号が函館周辺を通過するのが午前５時と早朝なため、定点カメラ５による撮影を行うため、ハードディスク３５に記憶されている情報から函館近傍で寝台特急列車Ｃ号が撮影可能な定点カメラ５を抽出し、定点カメラ５の不図示の通信部に対して撮影依頼を行う。この場合、制御部３６は、日時、場所、被写体が分かっているため、定点カメラ５に対して撮影条件（シャッタースピード、ホワイトバランス、絞り値など）や、パターンマッチングを行うための被写体のリファレンス画像を定点カメラ５に通知する。なお、撮影条件や、リファレンス画像は、前述の撮影者Ａさん〜Ｄさんにも通知するようにしてもよい。
【００２８】
更に、制御部３６は、朝の寝台特急列車Ｃ号を撮影するため、洞爺、登別周辺にて８月７日の午前７時から８時ごろに撮影可能な撮影者Ｅさん、Ｆさんを抽出し、それぞれに対して撮影対象、撮影時刻、撮影場所の地図情報、パスワードを通信部３１を介してＥさんの通信機器４−５、Ｆさんの通信機器４−６に撮影依頼を行う。
【００２９】
制御部３６は、所定時間である８月４日の午前中を経過したかどうかを判断する（ステップＳ３）。制御部３６は、８月４日の午前中を経過するまではこのステップＳ２を繰り返し、８月４日の午前中を経過するとステップＳ４に進む。
【００３０】
制御部３６は、撮影者Ａさん〜Ｆさんの回答状況を確認する（ステップＳ４）。一例として、Ａさん、Ｄさんが撮影依頼を許諾し、Ｂさん、Ｅさん、Ｆさんが撮影依頼を許諾せず、Ｃさんからの回答がないものとする。
【００３１】
制御部３６は、これらの回答から、洞爺湖、登別周辺での撮影ができないため、ステップＳ５の追加依頼の判断をＹｅｓとしてステップＳ６に進む。なお、各周辺で撮影者が確保できた場合にはステップＳ７に進む。
【００３２】
制御部３６は、ステップＳ６で追加の撮影依頼期限である８月４日の午後（例えば、午後３時）を過ぎていない場合には、ステップＳ２に戻り、再度、撮影依頼を行う。
【００３３】
制御部３６は、ステップＳ２にて１回目の撮影依頼結果に基づき、２回目の撮影依頼を行う。具体的には、洞爺湖、登別周辺での撮影をできる撮影者をハードディスク３５に登録されている撮影者から探す。本実施の形態では、この付近で登録されている撮影者がＥさん、Ｆさんしかいないため、札幌周辺で撮影可能な撮影者Ｇさん、Ｈさんを抽出し、それぞれに対して撮影対象、撮影時刻、撮影場所の地図情報、パスワードを通信部３１を介してＧさんの通信機器４−７、Ｈさんの通信機器４−８に撮影依頼を行う。また、制御部３６は、Ｂさんから回答がないため、Ｂさんに再度撮影依頼を行う。
【００３４】
制御部３６は、ステップＳ５の追加依頼が不要もしくはステップＳ６の所定時間が経過するまでステップＳ２からステップＳ６を繰り返す。なお、本実施の形態では、最終的にＡさん、Ｄさん、Ｇさん、Ｈさんから撮影受諾があったものとする。
【００３５】
制御部３６は、撮影依頼結果について撮影の依頼者（依頼主）に連絡を行なう（ステップＳ７）。制御部３６は、通信部３１を介して通信機器２−１の通信部１７と通信して、撮影依頼結果として、大宮、仙台、函館、札幌付近での撮影が可能であることを連絡する。
【００３６】
制御部３６は、撮影依頼の結果について依頼主から承諾があったかどうかを確認する（ステップＳ８）。制御部３６は、依頼主の通信機器２から承諾の連絡があれば、本フローチャートを終了し、追加の依頼などがあり承諾されなかった場合はステップＳ９に進む。なお、撮影開始の所定時刻前（例えば撮影開始の８時間前）までに依頼主から連絡のない場合は、撮影依頼が承諾されたものとして処理を行う。
【００３７】
制御部３６は、追加依頼があった場合に所定時間内（例えば撮影開始の５時間前）かどうかを判断する（ステップＳ９）。制御部３６は、撮影開始の５時間前であればステップＳ１０に進み処理（撮影依頼の追加）を行い、５時間未満であればステップＳ７に進み、依頼主に追加処理に対応できない旨の通知を行う。なお、本実施の形態では追加依頼はなかったものとする。
【００３８】
（フローチャート２の説明）
図４は、サーバ３が複数の通信機器４に対して行う撮影実行に関するフローチャートであり、以下、このフローチャートに沿って撮影実行動作の説明を行う。
【００３９】
制御部３６は、撮影準備時刻になったかどうかを判断する（ステップＳ１）。本実施の形態においては、８月６日の午後５時、同日午後８時３０分、８月７日の午前５時、同日午前９時の４回の撮影が予定されているので、制御部３６は、ぞれぞれの１時間前を撮影準備時刻に設定している。
【００４０】
制御部３６は、撮影開始時刻１時間前である８月６日午後４時になると撮影準備のためステップＳ２に進み、それまではこのステップＳ１を繰り返す。
【００４１】
制御部３６は、通信機器２、４に対して通信の確認を行う（ステップＳ２）。制御部３６は、撮影実行する通信機器４に加え、撮影依頼があった通信機器２にも通信の確認を行なう。これは、撮影依頼主が寝台特急列車Ｃ号の車内からの撮影を行うため、撮影依頼主と撮影者との協調撮影に備えるためである。なお、依頼時の通信機器２、４と、撮影実行時の通信機器２、４とは異なっていても通信さえできる状態であれば構わない。例えば、撮影依頼時には通信機器２、４が携帯電話やパソコン（この場合、撮像部１４、２７を省略することもできる）でもよく、撮影実行時にデジタルカメラやビデオカメラを用いることもできる。
【００４２】
また、撮影実行時の通信機器２、４の通信部１７、３０を本体の電源状態にかかわらず、常に駆動できるように不図示の電源と接続しておくことにより、サーバ３からの通信により通信機器２、４の電源が入るようにすることができる。これにより、サーバ３が通信機器２、４と常に通信できる状態を確保することができる。この際、通信機器２、４のスピーカ８、２１から警告音（ビープ音など）を発生させることにより、サーバ３から通信があることを依頼主やＡさんに認識させることができる。なお、撮影依頼時の通信機器２、４の通信部１７，３０もサーバ３と常に通信ができるようにしておいてもよい。
【００４３】
制御部３６は、通信機器２、４のＧＰＳモジュール１２、２５が検出した通信機器２、４の位置情報を取得する（ステップＳ３）。これは、予定撮影場所に対する現在の通信機器２、４の位置を確認するためのステップである。現在の時刻が午後４時過ぎであるので、制御部３６は、通信機器２の位置が上野周辺であり、通信機器４の位置が大宮周辺であることを確認する。制御部３６は、通信機器２，４の位置が予想される位置から大きく離れている場合（例えば２０Ｋｍ以上離れている場合）、通信機器２，４に対して撮影予定時刻に撮影予定場所にいることができるかどうかの通信を行う。なお、本実施の形態の場合は、予定撮影位置近傍（２０Ｋｍ未満の位置）にいるものとして説明を続ける。
【００４４】
次いで、制御部３６は、通信機器２、４のカレンダ部１３、２６と時刻合わせをする（ステップＳ４）。具体的には、サーバ３のカレンダ部３３の時刻を基準として、カレンダ部１３、２６の時刻を合わせる。なお、サーバ３がＧＰＳモジュールを備える場合には該ＧＰＳモジュールにより取得される時刻情報を用いてカレンダ部３３を校正するとともに、通信機器２、４においてＧＰＳモジュール１２、２５により取得される時刻情報でカレンダ部１３，２６を校正することにより、この時刻合わせを行うようにしてもよい。
【００４５】
制御部３６は、撮影開始時刻の１０分前に通信機器２、４に撮影開始１０分前であることを通信する（ステップＳ５）。この制御部３６の最終通信以後に、通信機器２、４の制御部１６、２９により、それぞれの表示部７、２０に予定撮影時刻までの残り時間が表示される。なお、予定撮影時刻は、被写体に応じて幅（５から１０秒、２から３分など）を持たせることができる。
【００４６】
ここで、撮影時刻３０秒前または通信機器２、４の距離が１Ｋｍに近づいた時点からそれぞれの撮像部１４、２７のライブビュー画像を通信部１７、３０により他方に送信するようにし、表示部７、２０の表示を２分割して、一方に自分のライブビュー画像を表示し、他方に相手側のライブビュー画像を表示して同時撮影のタイミングを計るようにしてもよい。このライブビュー画像の共有は、通信機器２、４で直接行っても構わないし、サーバ３を介して行っても構わない。この場合、サーバ３が撮影場所から離れている場合には、撮影場所に近く、サーバ３の機能のうち通信機能を有した機器を代用させても構わない。通信機器２、４の距離が一端近づいた後に所定距離（例えば３００ｍ）以上離れたり、所定時間経過した場合には、ライブビュー画像の送信を終了する。なお、このライブビュー画像の共有表示とは別に、または該共有表示に加えて、表示部７，２０にそれぞれ現在位置近傍の地図を表示し、通信機器２、４の現在位置をそれぞれ表示させるようにしてもよい。この場合において、通信機器２、４の現在位置の表示は、プライバシーの観点からある程度誤差を含んだ範囲として表示することが好ましい。
【００４７】
撮影の依頼主は予定撮影時刻を確認して寝台特急列車Ｃ号の車内から見える風景の撮影を行い、撮影者Ａさんは予定撮影時間の前後で寝台特急列車Ｃ号を確認して該Ｃ号の撮影を行う。これにより、依頼主と撮影者Ａさんとによる同時撮影が可能となる。なお、撮影枚数や、撮影条件、静止画撮影または動画撮影などは、撮影依頼時に設定しておけばよい。
【００４８】
制御部３６は、ステップＳ６において次の撮影があるかないかを判断し、２回目の撮影として午後８時３０分の撮影が予定されているので、ステップＳ１に戻り、午後７時３０分になった後にＤさんの所有している通信機器４に対してステップＳ２からＳ５を行う。この場合、依頼主とは第１回目の撮影で通信を行っているので、ステップＳ２からＳ５（またはステップＳ２からＳ４）を省略しても構わない。
【００４９】
制御部３６は、再びステップＳ６において、３回目の撮影があるため、その判断をＹｅｓとする。ここで、函館周辺での撮影は定点カメラ５による撮影のため、寝台特急列車Ｃ号の運行に遅れがなければステップＳ２、Ｓ３のステップを省略しても構わない。なお、定点カメラ５が撮影した画像は、撮影が終了後に通信部３１を介してサーバ３のフラッシュメモリ３４に記憶される。制御部３６は、定点カメラ５から画像がフラッシュメモリ３４に記憶されると、電気通信回線（電子メール）により通信機器２に対してサーバ３にて画像が閲覧可能である旨の通知を行う。なお、制御部３６は、依頼主から画像を受け取った際にも同様の通知を行う。この場合、制御部３６は撮影者Ａさんの通信機器４に対して、電気通信回線（電子メール）によりサーバ３にて依頼主が撮影した画像の閲覧が可能であることを通知する。このように、本実施の形態の撮影依頼システム１によればサーバ３にて互いが撮影した画像を閲覧することができる。
【００５０】
また、制御部３６は、仙台周辺での撮影終了後に依頼主に対して翌朝５時の撮影を行うかどうか確認し、撮影を希望する場合は通信機器２に対してステップ５を実行し、撮影を希望しない場合には、ステップＳ２からＳ５をスキップする。
【００５１】
４回目の撮影があるため、制御部３６は、ステップＳ６の判断をＹｅｓとしてステップＳ１に戻る。ここで、制御部３６は、４回目の撮影と５回目の撮影との間隔が５分であるため、４、５回目の撮影準備をほぼ同時に行うようにする。すなわち、本実施の形態では、撮影間隔が例えば１０分以内の場合には、撮影準備をほぼ同時に行うようにしている。
【００５２】
制御部３６は、８月７日午前８時になると撮影者Ｇさん、Ｈさんのぞれぞれの通信機器４に対して、ステップＳ２からＳ５を行う。この場合、撮影者ＧさんとＨさんとの撮影位置が異なるため、撮影時刻も数分から１０分程度異なる（本実施の形態では５分異なるものとする）。このため、制御部３６は、それぞれの撮影位置に応じてステップＳ５の最終通信を行う。
【００５３】
一方、通信機器２の制御部１６は、札幌周辺で午前９時０分と９時５分とに２回の撮影があるため、表示部７にそれぞれの撮影までの時間を表示する。
【００５４】
制御部３６は、次の撮影が無いためステップＳ６の判断をＮｏとしてステップＳ７に進み、所定時間経過したかどうかの判断をする。このステップＳ７は、ステップＳ８にて行う画像受領に関連しており、所定時間としては最終の撮影予定時刻から数時間から数日、または、画像送付依頼から数時間から数日と設定することができる。
【００５５】
制御部３６は、それぞれの撮影者Ａさん、Ｄさん、Ｇさん、Ｈさん、ならびに定点カメラ５から画像を受領（受信）したかどうかの判断を行う（ステップＳ８）。ここでは、撮影者Ａさん、Ｄさん、Ｇさんおよび定点カメラ５から画像を受領したものの、撮影者Ｈさんからは未受領とする。また、依頼主が自身で撮影した画像を含めてサーバ３に編集を依頼する場合には、制御部３６は依頼主からも画像を受領したかどうか確認する。
【００５６】
制御部３６は、画像を受領する際のメタデータとして、撮影者自身が撮影したものであることの確認（著作権確認）、依頼者または今回撮影に参加した撮影者（すなわち今回の撮影に関するパスワードを所有している者）以外への画像配布の可否（開示ポリシー）、撮影条件も合わせて受領するものとする。これは、後述するステップＳ１０で画像を編集するときに利用することができる。なお、開示ポリシーなどは、通信機器４から画像をサーバ３に送る前に、撮影者によって所定の操作を行うことにより入力してメタデータとして画像に付加して送るようにしてもよいし、サーバ３において予め登録しておいて、これを画像に付加しても記録してもよい。
【００５７】
制御部３６は、撮影者Ｈさんに電気通信回線（電子メール）を介して画像の送付を依頼する（ステップＳ９）。制御部３６は、撮影者Ｈさんからの画像を受領できるまでステップＳ７からＳ９を繰り返す。制御部３６は、撮影者Ｈさんの画像を受領するとステップＳ１０に進み、受領した画像の編集を行う。
【００５８】
制御部３６は、受領した画像を時系列に並べ直す。また、制御部３６は、同時撮影の場合には、依頼者が撮影した画像を最初にして、その後に撮影依頼を受けた人が撮影した画像にする。また、制御部３６は、動画と静止画とが混在する場合には、動画を先にして静止画を後にするように画像を並べる。制御部３６は、このようなルールのもとスライドショーを作成する。但し、編集のルールはこれに限られず、他のルールを用いてもよい。
【００５９】
制御部３６は、全ての画像を閲覧することができる依頼者用のフォルダと、例えば撮影者Ｈさんから依頼者以外には画像を公開しないとのメタデータを受けた場合には、Ｈさん以外の撮影者に対してＨさんの撮影した画像を除いたスライドショーを保存するフォルダを作成する。
【００６０】
更に、制御部３６は、ステップＳ１０において、今回の撮影に関する依頼者および各撮影者のログを取る。具体的には、制御部３６は、各種依頼へのレスポンス時間、画像開示のポリシー、撮影枚数、撮影時間、撮影条件、撮影機材などである。制御部３６は、ここで取得したログを次回の撮影依頼時にフィードバックできるようにハードディスク３５に保存する。なお、撮影依頼者から各撮影者の評価があった場合には、制御部３６は、この評価もハードディスク３５に保存する。
【００６１】
制御部３６は、ステップＳ１０での編集が終了すると、依頼主に対して撮影が終了し、全ての画像が閲覧可能であることを通知する。
【００６２】
なお、上述の実施の形態においては、被写体を運行中の列車（寝台特急列車）としたが、これに限らず、例えば日の出のリレー撮影（例えば北海道から九州まで順次に行う日の出の撮影）や、建築物（例えば東京都において建築が進んでいる電波塔）の建築記録でもいい。なお、建築記録や町並みの記録の場合には、撮影日数が数年に及ぶこともある。このような場合、制御部３６は、週毎や月毎に通信機器４に撮影依頼を行うとともに、週毎や月毎、または季節毎にスライドショーを作成することができる。
【００６３】
本実施の形態によると、撮影依頼システムを構成するサーバは、複数の通信機器に対して通信可能な通信部と、複数の通信機器に対して時間と位置とを異ならせて、同一被写体の撮影依頼を行う依頼部とを備えており、撮影の依頼者からの通信機器を用いた撮影依頼に応じて、予め登録された複数の撮影者の中から最適な複数の撮影者を選択して通知し、該撮影依頼を受諾した複数の撮影者に撮影時間と撮影場所を指定して撮影を実行させ、各撮影者（撮影を受諾した撮影者および場合により撮影の依頼者を含む）が撮影した画像をサーバに転送させて、撮影の依頼者（場合に応じて撮影依頼を受諾した撮影者も）が閲覧できるようにしている。これにより、同一被写体を撮影時間と撮影位置とを異ならせて撮影した複数の画像を得ることができる。
【００６４】
また、本実施の形態のサーバが備える通信部は、複数の通信機器のスリープ状態を解除することができる。したがって、サーバは、必要に応じて撮影を受諾した撮影者の通信機器のスリープ状態を解除して、撮影時刻が近づいてきた場合にこれを警告音などにより通知することができ、撮影依頼を受諾した撮影者に撮影時刻が近づいていることを確実に認識させることができる。
【００６５】
さらに、本実施の形態のサーバは、複数の通信機器の少なくとも１つの通信機器に対して時刻合わせを行う時計部を備えているので、サーバで管理している時刻と通信機器で管理している時刻とを合わせることができる。この場合において、前記時計部が複数の通信機器に対して時刻合わせを行い、前記依頼部が、前記時刻合わせを行った複数の通信機器に対してほぼ同時刻の撮影を依頼することにより、時刻合わせを行った複数の通信機器を用いる撮影者のそれぞれによる撮影のタイミングを正確に一致させることができる。
【００６６】
加えて、本実施の形態のサーバが備える通信部は、撮影依頼を受諾した通信機器と、撮影依頼を実行する撮影機器とが異なる場合に対応するためのパスワードを撮影依頼を受諾した通信機器に送付するようにしている。これにより、撮影者が撮影依頼を受諾した通信機器と異なる通信機器（撮影機器）を用いて撮影を行うことができる。
【００６７】
また、本実施の形態のサーバが備える通信部は、撮影予定時刻の所定時刻前に少なくとも１つの通信機器に対して通信を行うようにしたので、例えば、撮影予定時刻の１時間前に撮影依頼を受諾した撮影者の通信機器に対して、当該１時間前であることを通知（予告）することができ、当該撮影者は適切なタイミングで撮影の準備作業に入ることができる。
【００６８】
さらに、本実施の形態のサーバが備える通信部は、異なる時間の撮影間隔が所定時間以内の場合に、複数の通信機器に対して撮影予定時刻の所定時刻前に通信を行うようにしたので、例えば、Ａさんの撮影予定時刻とＢさんの撮影予定時刻とが１０分以内と近い（短時間である）場合には、Ａさんが用いる通信機器とＢさんが用いる通信機器への前記通知（予告）を当該１時間前にほぼ同時に行うことができる。
【００６９】
加えて、本実施の形態では、複数の通信機器として、所定の位置に配置された撮像部を有する定点カメラを含んでいるので、未明や深夜の撮影など、これを受諾する撮影者がいないような場合であっても、撮影が可能である。
【００７０】
また、本実施の形態では、撮影依頼を受諾した複数の通信機器はそれぞれ制御部を有し、それぞれの制御部は、時間または位置が所定条件を満たすときに、互いに通信可能状態に制御するようにしている。これにより、例えば、撮影の依頼者と撮影依頼を受諾した撮影者とが互いの位置を確認しながら実質的に同時にそれぞれの撮影を行うことができる。
【００７１】
さらに、本実施の形態では、サーバは、撮影依頼により撮影された画像を編集する編集部を備えているので、撮影された画像を適宜に編集することができ、例えば画像が複数ある場合には、編集部はこれら複数の画像を時系列に並ぶように編集し、開示することができる。また、編集部は、画像のメタデータに応じて、画像の開示に制限をつけるようにしてもよい。
【００７２】
なお、以上説明した実施形態は、本発明の理解を容易にするために記載されたものであって、本発明を限定するために記載されたものではない。従って、上記の実施形態に開示された各要素は、本発明の技術的範囲に属する全ての設計変更や均等物をも含む趣旨である。
【符号の説明】
【００７３】
１…撮影依頼システム、２（２−１，２−２，…，２−Ｎ）…撮影依頼者の通信機器、３…サーバ、４（４−１，４−２，…，４−Ｎ）…撮影者の通信機器、５…定点カメラ、１６，２９，３６…制御部、１７，３０，３１…通信部。
【図１】
2012123666.tif 000003
【図２】
2012123666.tif 000004
【図３】
2012123666.tif 000005
【図４】
2012123666.tif 000006